(57)【要約】【課題】本発明は、流量導入時にオーバーシュート特性を持って安定する定流量弁と該定流量弁に空気を導入する手段を設け、その過大流量と空気の混合液を流すことにより、定流量弁自身、流路の洗浄に用い、メンテナンスを容易にすることを目的とする。【解決手段】本発明は、定流量弁に、流量導入時にオーバーシュート特性を持って安定する定流量弁を用いるとともに、定流量弁に空気を導入する手段を設け、そのオーバーシュートによる過大流量と空気の混合液を流すことにより、定流量弁自身、流路の洗浄に用い、メンテナンスを容易にする。【選択図】図１
2009258061.tif 000002
【特許請求の範囲】
【請求項１】
試料水に含まれる塩素を検出する検出部と、前記検出部が検出した信号情報を処理する信号処理制御部と、前記検出部に試料水を供給する試料水供給流路と、前記試料水供給流路に設ける定流量機構を有する残留塩素計において、
前記定流量機構の上流側に気体を供給する気体供給手段を設けたことを特徴とする残留塩素計。
【請求項２】
測定セルと、前記測定セルに内置され，試料水中の塩素を検出するところの検出極，および対極を含む検出部と、前記測定セルに内置され，前記検出部を洗浄する洗浄粒子を撹拌する回転機構と、前記検出部が検出した信号情報を処理する信号処理制御部と、前記検出部に試料水を供給する試料水供給流路と、前記試料水供給流路に設ける定流量機構と、前記定流量機構の上流側に置かれるように前記試料水供給流路に設ける試料水供給電磁弁を有する残留塩素計において、
前記定流量機構と試料水供給電磁弁の間に気体を供給する気体供給手段を設けたことを特徴とする残留塩素計。
【請求項３】
請求項２記載の残留塩素計において、
前記気体供給手段は、空気を含む気体を送る気体ポンプと，前記気体ポンプの下流側に設けた気体供給電磁弁を有することを特徴とする残留塩素計。
【請求項４】
測定セルと、前記測定セルに内置され，試料水に含まれる塩素を検出するところの検出極，および対極を含む検出部と、前記測定セルに内置され，前記検出部を洗浄する洗浄粒子と、前記検出部が検出した信号情報を処理する信号処理制御部と、前記検出部に試料水を供給する試料水供給流路と、前記試料水供給流路に設ける定流量機構と、前記定流量機構の上流側に置かれるように前記試料水供給流路に設ける試料水供給電磁弁を有し、
前記定流量機構と試料水供給電磁弁の間に気体を供給する気体供給手段は、空気を含む気体を送る気体ポンプと，前記気体ポンプの下流側に設けた気体供給電磁弁を有し、
前記試料水供給電磁弁の閉成と入れ替わりに前記気体供給電磁弁が開放されて前記気体ポンプにより前記試料水供給流路に供給された空気が前記試料水供給電磁弁の開放に伴い前記試料水と混って前記定流量機構に供給されることを特徴とする残留塩素計。
【請求項５】
測定セルと、前記測定セルに内置され，試料水に含まれる塩素を検出するところの検出極，および対極を含む検出部と、前記測定セルに内置され，前記検出部を洗浄する洗浄粒子と、前記検出部が検出した信号情報を処理する信号処理制御部と、前記検出部に試料水を供給する試料水供給流路と、前記試料水供給流路に設ける定流量機構と、前記定流量機構の上流側に置かれるように前記試料水供給流路に設ける試料水供給電磁弁を有し、
前記定流量機構と試料水供給電磁弁の間に気体を供給する気体供給手段は、空気を含む気体を送る気体ポンプと，前記気体ポンプの下流側に設けた気体供給電磁弁を有し、
前記試料水供給電磁弁と前記気体供給電磁弁の開閉を制御する機能を有する前記信号処理制御部は、試料水供給電磁弁を閉じて試料水の供給を止めている間に気体供給電磁弁の開放に気体を供給する気体供給時間幅を任意に設定できる機能を有することを特徴とする残留塩素計。
【請求項６】
請求項４記載の残留塩素計において、
前記検出部が検出した信号情報を前記信号処理制御部で処理して計る塩素の計測は、前記気体供給手段による気体の供給開始から前記試料水供給電磁弁の開放に伴い前記定流量機構から吐出される試料水の過渡的な過大流量が減少して安定するまでの間は中断することを特徴とする残留塩素計。
【請求項７】
請求項４記載の残留塩素計において、
前記気体ポンプは、前記気体供給電磁弁が開かられと運転が開始され、前記気体供給電磁弁が閉じられると停止するように制御されることを特徴とする残留塩素計。
【請求項８】
測定セルと、前記測定セルに内置され，試料水に含まれる塩素を検出するところの検出極，および対極を含む検出部と、前記測定セルに内置され，前記検出部を洗浄する洗浄粒子と、前記検出部が検出した信号情報を処理する信号処理制御部と、前記検出部に試料水を供給する試料水供給流路と、前記試料水供給流路に設ける定流量機構と、前記定流量機構の上流側に置かれるように前記試料水供給流路に設ける試料水供給電磁弁を有し、
前記定流量機構と試料水供給電磁弁の間に気体を供給する気体供給手段は、空気を含む気体を送る気体ポンプと，前記気体ポンプの下流側に設けた気体供給電磁弁を有し、
前記信号処理制御部は、前記試料水供給電磁弁、前記気体供給電磁弁、前記気体ポンプを制御する機能を有し、
前記気体と前記試料水の供給を一緒にするように前記気体供給電磁弁と前記試料水供給電磁弁を共に開放させる制御を行うことを特徴とする残留塩素計。
【発明の詳細な説明】
【技術分野】
【０００１】
本発明は、浄水場から配水される飲料水の残留塩素濃度を測定するための残留塩素計に係わり、特に浄水場外の配水末端で使用される水質モニタとしての用途での残留塩素計に関する測定方法に関する。
【背景技術】
【０００２】
浄水場から配水される飲料水の残留塩素濃度を測定するための残留塩素計は、従来浄水場で使用されている原理のものが多く使われていた。最近特に浄水場外の配水末端で使用される水質モニタ用途としての残留塩素計が増えるにつれ、より小形でメンテナンスの少ない原理のものが要求されるようになってきた。
【０００３】
従来の残留塩素計は、金電極の電極面を洗浄するためにビーズ（洗浄粒子）と回転電極を用い、金電極を埋め込んだ棒状センサをモータにより回転させ、これをビーズの中に差し入れることにより金電極を洗浄するタイプのものや、回転電極をやめ、電極を振動モータにより振動させる機構を備え、これをビーズの中に入れて洗浄するタイプのものもある（例えば、（特開２００７−１０４８５号公報）特許文献１）。
【０００４】
しかし、いずれもモータ等の可動部品を必要とし、定期的なメンテナンスや部品交換が必要となる欠点があった。一方で、機械的エネルギーを用いず、水流エネルギーを用いて金電極を洗浄するものもあり、こうした方法でメンテナンスの省力化を行う考え方の残留塩素計も現れている。
【０００５】
本発明の残留塩素計はこうした考え方の延長にあるものであり、試料水の水流を使ってビーズを吹き上げ、この噴流により金電極を洗浄するタイプのものである。ここで、残留塩素の起電力は残留塩素濃度に比例した拡散電流として表され、一般に回転電極の場合、（１）式で表される。
【０００６】
拡散電流  Ｉｄ  ＝Ｋ・ｎ・Ｆ・ω１／３・Ｄ２／３・Ｃ  ……（１）式
ｎ：測定物質の原子価    Ｆ：ファラディ−定数    Ｃ：濃度
ω：電極の回転数    Ｄ：測定物質の拡散定数
（１）式に示すように回転電極の場合、ω１／３が含まれているため、回転数が安定でないと拡散電流が不安定になってしまうことがわかる。振動モータを用いる場合は回転数の代わりに振動数νがこれに相当し、水流エネルギーを用いる場合は流量Ｖが相当する。
【０００７】
従って、金電極洗浄の手段として回転数、振動数、流量のいずれを用いる場合でも、これらのパラメータが安定でなければ残留塩素計の出力としては安定しないことがわかる。この内容を本発明の残留塩素計に当てはめてみると、水流エネルギーを用いこれによりビーズを回転させていることから、試料水の流量Ｖが安定である必要がある。
【０００８】
具体的には、流量Ｖから求められる洗浄部分の噴流射出流速ｖによる運動エネルギーｍｖ２／２が安定であればよい。このために本発明では定流量弁を用い、流量Ｖから求められる洗浄部分の噴流射出流速ｖによる運動エネルギーｍｖ２／２が安定であるように制御している。
【０００９】
ここで、この残留塩素計がどのような場所で用いられるかを考えてみると、冒頭に述べたように、浄水場外の配水末端で使用される水質モニタ用途としての残留塩素計が増えてきている。その中で、浄水場外に敷設されている水道配管の状況を見ると、敷設年度が古い場合が多く、配管内が付着物で汚れている場合が多いことが予想される。
【００１０】
従って、定流量弁を使う場合でも、これらの付着物による汚れに対する対策を考慮しなくてはならない。定流量弁に対する付着物による汚れの影響としては、定流量性の低下が考えられ、この付着物を放置していると残留塩素計の性能低下につながることは上述の拡散電流式（１）式から明らかである。
【００１１】
また、定期的に流量を調整することで付着物に対応することも考えられるが、定流量弁の内部まで付着物が堆積するような場合も考えられ、単なる流量調整だけでは付着物に対して対応できないという問題があった。
【００１２】
また、定流量弁内部のニードル弁等の流路に対して、４フッ化エチレン樹脂等でコーティングを行い、付着物の堆積を軽減させるという方法も対策として行っているが、確実な方法で無く、長期間の使用により付着物の堆積を防ぐことができない。
【００１３】
一方、配水の需要家に近い末端に配備された残留塩素計については、メンテナンス周期を出来るだけ長くしたいという要望もあり、付着物の付きやすい試料水を測定する場合には、要望されるメンテナンス周期とかけ離れた頻繁なメンテナンスが必要になる、という問題があった。
【００１４】
【特許文献１】特開２００７−１０４８５号公報
【発明の開示】
【発明が解決しようとする課題】
【００１５】
本発明は、上記の課題に対処し、付着物を多く含む試料水が流れる場所に残留塩素計が取り付けられた場合でも、定流量機構（定流量弁）の内部に付着する付着物の洗浄が良好に行われる残留塩素計を提供することを目的とする。
【００１６】
また、自動的に定流量機構（定流量弁）の内部を洗浄でき、かつその洗浄方法に応じた信号処理方法を持つことにより、メンテナンスの容易な、付着物に強い残留塩素計を提供することを目的とする。
【課題を解決するための手段】
【００１７】
本発明は、試料水に含まれる塩素を検出する検出部と、前記検出部が検出した信号情報を処理する信号処理制御部と、前記検出部に試料水を供給する試料水供給流路と、前記試料水供給流路に設ける定流量機構を有する残留塩素計において、前記定流量機構の上流側に気体を供給する気体供給手段を設けたことを特徴とする。
【００１８】
更に具体的には、前記定流量機構と試料水供給電磁弁の間に気体を供給する気体供給手段を設けたことを特徴とする。
【００１９】
すなわち、本発明は気泡の洗浄能力と定流量機構（定流量弁）の特性に着目したものである。定流量弁は、流量停止状態から流量を流し始めた場合、定流量弁が一定流量に安定化するまでにわずかなタイムラグが生じ、このタイムラグの間に、設定された定流量を上回る過渡的な過大流量が流れる。
【００２０】
一方、この過渡的な過大流量が流れている間に、外部から空気を取り込み、試料水供給流路を含む流路内で混合することで強い水流エネルギーを得ることができる。このような気泡と試料水の混合液を、定期的に定流量弁に供給し、定流量弁の内部、また残留塩素計を構成する内部流路に水流エネルギーによる衝撃を与え、溜まった付着物を水流エネルギーにより排出し、常に定流量弁、および内部流路内が清浄な状態で測定できるようにしたものである。
【００２１】
また、試料水の混合液が流れる通水時の拡散電流値は、試料水の一定流量供給時の拡散電流に比べ誤差を多く含むため、信号処理制御部が混合液通水時は信号を取り込まずに塩素の測定を中断する。そして、定流量弁から吐出される試料水の過渡的な過大流量が減少して安定した後に信号処理を塩素の測定を再開する機能を信号処理制御部に備えたことにより、誤差の少ない安定した計測を実現できる。
【００２２】
また、汚れの程度により、試料水の供給を止めている間に、空気を供給する空気供給時間幅を任意に設定できるので、気泡量を加減できる。
【００２３】
また、試料水の供給を止めて空気を供給するタイミング周期を変更可能にしたので、汚れの付着の進行度合いに応じたタイミングの良い洗浄を行うことができる。
【発明の効果】
【００２４】
本発明によれば、過渡的な過大流量と気泡（空気）を混合した混合液で定流量機構（定流量弁）内を良好に洗浄することができる。
【００２５】
また、定流量機構（定流量弁）や内部流路を自動洗浄しながら測定できるので、メンテナンスの容易な、付着物に強い残留塩素計を提供することができる。
【００２６】
また、洗浄のために気体ポンプと気体供給電磁弁があればよく、容易にその洗浄機能を実現することが出来る。
【００２７】
また、小気体ポンプは洗浄時のみ稼動すればよく、消費電力の低減を図ることができる。
【発明を実施するための最良の形態】
【００２８】
本発明の実施例を図を引用して説明する。
【００２９】
まず、図１に沿って本発明の実施例に係る残留塩素計の概要から述べる。
【００３０】
残留塩素計１６は、残留塩素測定セル７（測定セル）、試料水供給流路３、信号処理制御部１４、気体供給手段を有する。
【００３１】
試料水入口１から供給される試料水２は、試料水供給流路３、試料水供給流路３に設けられた減圧弁４、試料水供給電磁弁５、および定流量弁６（定流量機構）に経由して残留塩素測定セル７に至る。
【００３２】
なお、定流量弁を含む定流量機構は、ニードル弁と減圧弁とで構成された定流量特性を持つ機構、小形流量計などを用いて流量を一定に制御する機構などをも含む。
【００３３】
ここで、残留塩素測定セル７について述べる。残留塩素測定セル７の内部には、試料水導入部８、ビーズ（洗浄粒子）９、噴出部１０、金電極１１、銀−塩化銀電極１２、試料水排出部１３、ビーズ（洗浄粒子）９を撹拌して後述する検出部を洗浄する回転機構が設けられている。検出部は、金電極１１で形成される検出電極と、銀−塩化銀電極１２で形成される対極を有する。
【００３４】
信号処理制御部１４は、検出部が検出する拡散電流信号の信号情報を処理して塩素値を計測し、出力１５を得る。
【００３５】
気体供給手段は、気体供給流路１９、気体供給電磁弁２０、気体ポンプ１８を有する。気体供給手段の気体供給流路１９は、試料水供給流路３の合流流路２１に連通するように接続される。気体の空気１７は、気体ポンプ１８の吸引により気体供給流路１９を流れる。
【００３６】
定流量弁６は試料水供給電磁弁５の下流に置かれる。気体供給電磁弁２０の気体ポンプ１８の吐出側（下流側）に置かれる。気体供給電磁弁２０の吐出側（下流側）は定流量弁６と試料水供給電磁弁５の間に連通するように接続される。つまり、気体供給手段の吐出側は定流量弁６と試料水供給電磁弁５の間に連通される。
【００３７】
信号処理制御部１４は、検出部が検出する拡散電流信号の信号情報を処理して塩素値を計測する機能に加え、試料水供給電磁弁５、気体供給電磁弁２０、気体ポンプ１８を制御する機能も有する。
【００３８】
試料水供給電磁弁５、気体供給電磁弁２０は、信号処理制御部１４の制御により開放、閉成の作動を行う。気体ポンプ１８は、信号処理制御部１４の制御により、運転・停止の作動を行う。
【００３９】
信号処理制御部１４は、図１に示すように、（１）銀−塩化銀電極駆動電圧を銀−塩化銀電極１２に給電する。（２）金電極１１の拡散電流を信号処理制御部１４は入力として受ける。（３）試料水供給電磁弁５の開閉制御を行う。（４）気体供給電磁弁２０の開閉制御を行う。（５）気体ポンプ１８である小形空気ポンプの運転を制御する。
【００４０】
上記の構成を有する残留塩素計１６は、試料水供給電磁弁５を開放して試料水２を残留塩素測定セル７に供給することにより、試料水２中の塩素値が計測される。残留塩素測定セル７に供給される試料水２の量は、定流量弁６の機能により一定に維持されるので、正確な測定が行われる。
【００４１】
次に本発明の主要な課題に係る定流量弁６の内部洗浄を主に説明する。
【００４２】
定流量弁６は、図２の流量制御特性２２に示すような特性を有する。
【００４３】
流通停止時から流通を開始して安定流量に至るまでに定常時の約１．６倍のオーバーシュート特性を持つような特性を持つものである。つまり、過渡的な過大流量が急激減少して安定流量に至る。
【００４４】
このため、オーバーシュート時の過大流量は、試料水入口１から銀−塩化銀電極１２の試料水排出部１３に至るまでの流路全体を流れ、これが特に流量停止時から流通を開始した際の流量変化となるため、流路全体には一気に過大流量が流れ、水流エネルギーによる衝撃が発生する。
【００４５】
この過渡的な過大流量の発生に併せて試料水供給流路３に気体の空気を導入することにより、気泡による衝撃力と過大流量による水流エネルギーの衝撃が相俟って著しい洗浄効果が生じる。
【００４６】
すなわち、一旦試料水供給電磁弁５を閉じ流量を停止させた後、気体ポンプ１８を起動し、気体供給電磁弁２０を開くことにより、試料水供給流路中に空気を導入させると、合流流路２１以降、残留塩素測定セル７（測定セル）までの流路には空気が充満する。
【００４７】
この状態で、気体ポンプ１８を停止、気体供給電磁弁２０を閉じ、試料水供給電磁弁５を再度開くと、前述の定流量弁６の流量制御特性２２により過渡的な過大流量が発生し、この過大流量と空気が混合し混合液となって合流流路２１以降を流れる。
【００４８】
この混合液は気泡を大量に含むため、通常の試料水のみよりも大きな水流エネルギーに増大し、気泡が合わさった強い衝撃力になる。この衝撃力により、定流量弁６の内部や流路に付着している付着物の剥離、洗浄が極めて良好に行われる。
【００４９】
このように、空気を取り込むことにより通常よりも大きな衝撃力を得ることができ、空気と過大流量による衝撃力を用いた自動的な流路の配管洗浄が可能となる。洗浄が終わった後は通常の一定の試料水を流して流路内の残存空気を全て押し流すことにより、安定した測定をできるように回復させることができる。
【００５０】
上述した気体ポンプ１８を停止、気体供給電磁弁２０を閉じ、試料水供給電磁弁５を再度開いて定流量弁６の内部を洗浄する洗浄サイクルを１２時間に１回行うような空気洗浄を行った場合と、洗浄を行わなかった場合についての測定値の比較（図３の２３）に示す。
【００５１】
図３の上グラブは洗浄サイクルを未実施の場合、図３の下グラブは洗浄サイクルを実施した場合を示す。
【００５２】
このサイトは定期的に赤水に近い試料水が流れ、通常の測定では１週間で定流量弁６に付着物が蓄積し、出力が低下してしまうようなサイトである。しかし、過大流量に空気を混合する空気洗浄を行ったほうが出力の安定性が優れており、空気洗浄が非常に有効であることが明らかである。
【００５３】
洗浄時タイミングチャート２４について、図４を引用して述べる。
【００５４】
試料水供給電磁弁５を閉じることにより、洗浄の準備が開始する。試料水供給電磁弁５の閉じと同時に気体供給電磁弁２０を開き、気体ポンプ１８を運転させて試料水供給流路中に空気を導入する。この後、気体ポンプ１８の運転を止めるとともに気体供給電磁弁２０を閉じる。これと同時に、試料水供給電磁弁５を開くことにより、前述したところの気泡による衝撃力と過大流量による水流エネルギーの衝撃が相俟って著しい洗浄効果が齎されて洗浄は終了する。
【００５５】
洗浄準備が開始から洗浄終了までの時間幅は、気体ポンプ１８の運転時間を任意に変える適宜選択できる。また、洗浄を実施する洗浄タイミングの時期は、２４時間タイマーで管理し、任意に定める所定時間に行うことができる。また、必要に応じて洗浄実施回数を適宜に定めることができる。
【００５６】
このように、試料水通水停止、空気導入開始、空気導入停止、試料水通水開始のサイクルを組み合わせることにより、自動洗浄が可能であり、付着物の程度により、洗浄期間を設定できる。
【００５７】
一方、残留塩素計は上記（１）式に示すように流量Ｖ（（１）式のωに相当）が変動すると拡散電流に変動が発生し、大きな誤差を含んだ出力が出る恐れがある。従って、信号処理制御部１４は過大流量が減衰して流量が一定になうように安定化した時点で拡散電流のサンプリングを行う。
【００５８】
この処理の様子を図４の洗浄時タイミングチャート２４に示す。
【００５９】
信号情報を収集するサンプリングの開始は、試料水の流量が安定した時点で取り込めばよい。こうした信号処理を行うことにより、常に定流量弁６、および試料水供給流路３内部の自動洗浄を行いつつ、安定した計測を行う事が出来る。
【００６０】
また、上記の信号処理の中で、一時的に試料水供給電磁弁５と気体供給電磁弁２０を同時に開き、さらに空気と試料水の混合を積極的に行うことで衝撃力を高めることも可能である。
【００６１】
更に、気泡と過大流量による洗浄に関して説明をする。
（１）．気泡洗浄を行うことにより、残留塩累計に供給する試料水の流量を一定に保つ効果がある。
【００６２】
残留塩素計の金電極は、残留塩素濃度に比例する拡散電流を正確に検出するため、その表面を常に清浄にしておく必要があり、試料水の水流を用いたビーズ（洗浄粒子）の噴流により常時洗浄している。
【００６３】
この洗浄効果を常に一定にするため、残留塩素測定セルに流入する試料水の流量を一定にする（噴流によるビーズの回転力を一定にする）ことが要求される。このために、残留塩素計の内部には定流量機構（定流量弁、減圧弁、およびニードル弁など）が組み込まれるが、長期間の運転により、こうした定流量機構の中にも汚れが付着し、定流量性が低下することがある。
【００６４】
気泡洗浄の付加は、流路内の汚れを落とすのみでなく、その洗浄効果により定流量機構の内部も洗浄し、その結果安定な定流量性が復活する。これにより、残留塩素測定セルヘの安定な定流量の試料水を供給できることが回復し、残留塩素計自身の測定が安定化するという効果がある。
（２）．気泡洗浄を行うことにより、残留塩素計測セル内の金電極の汚れを効率的に除去できる効果がある。
【００６５】
汚れの付着による影響を列挙する。
【００６６】
汚れ付着により定流量機構の定流量性が低下し、その結果残留塩素計測セルヘの試料水の流量が低下する。これが原因となり、残留塩素計のビーズ噴流の勢いが弱くなり、洗浄能力が低下する。そして金電極への汚れ付着が加速する結果、等価的な金電極面積が低下する。そのために残留塩素濃度に比例する拡散電流検出能力が低下し、残留塩素出力が低下する。この時、気泡洗浄により定流量機構の定流量性を回復させることにより、残留塩素計への一定の試料水供給ができるようになる。
【００６７】
しかし、それと同時に気泡洗浄操作時の試料水供給停止／再開時の、定流量弁の過大流量と強力な気泡洗浄により、一時的にビーズの洗浄能力が格段に向上し、金電極の洗浄効果が一時的に大きく向上する。これにより、汚れにより徐々に流量が低下し、それに伴い徐々に金電極に付着した汚れが、一時的な、強力な洗浄能力により効率的に除去されるという効果がある。
【００６８】
これにより、等価的な金電極面積が回復し、残留塩素濃度に応じた正しい拡散電流が検出できるようになり、残留塩素計白身の計測が安定化する。
（３）．気泡洗浄を行うことにより、残留塩素測定セル内の気泡除去の効果がある。
【００６９】
残留塩素測定セル内には周囲温度と水温の違いに基づく溶存ガスの気化等により、細かい気泡粒が付着することがある。こうした気泡粒は測定セルの壁面、金電極面に偏在付着し、通常のビーズ洗浄では落とせないことが多い。これらの気泡粒が流路を塞いだり、測定セル内部に付着する結果、試料水流量の低下が発生したり、等価的な金電極面積の低下につながり、測定値に影響が出ることがある。こうした気泡粒に対しても、気泡洗浄が有効である。
【００７０】
すなわち、一時的に残留塩素測定セル内に送り込まれた大量の大型気泡は、壁面、金電極表面に付着する細かい気泡粒を取り込んで除去して更に大きな成長した気泡なる。成長した大きな気泡は更に壁面、金電極表面に付着する細かい気泡粒を更に取り込んで細かい気泡粒の除去が促進されるので、壁面、金電極表面に付着する剥がれ難い気泡粒の除去が効果的に行われる。これにより、残留塩素計自身の測定が安定化するのである。
（４）．気泡洗浄を行うことにより、狭隘部分の停滞水を除去できるという効果がある。
【００７１】
通常の流量が安定している間は、残留塩素計流路の狭隘部分に試料水が滞留し、その部分に汚れが溜まり易くなる。汚れが滞留する部位の試料水は残留塩素が徐々に抜け、水質的に見て汚れた試料水となってしまう。これが徐々に試料水に溶け込むことにとより、残留塩素が低下した試料水となってしまい、測定誤差が増える傾向になる。そこで、定期的に気泡洗浄を行うことにより、試料水の流速が大きく乱れることを利用し、狭隘部分の停滞流した試料水や汚れを除去することができる。これにより、残留塩素計白身の計測が安定化する。
【産業上の利用可能性】
【００７２】
本発明に係る流路の自動洗浄は、残留塩素計のみならず、その他の定流量弁や、一定流量制御機構を持つ水質計に応用可能である。
【図面の簡単な説明】
【００７３】
【図１】本発明の実施例に係るもので、残留塩素計の概略構成を示す図である。
【図２】本発明の実施例に係るもので、定流量弁単体の流量特性を示す図である。
【図３】本発明の実施例に係るもので、洗浄サイクルを未実施の場合と洗浄サイクルを実施した場合の比較を示すグラフである。
【図４】本発明の実施例に係るもので、洗浄時タイミングチャート示す図である。
【符号の説明】
【００７４】
１…試料水入口、２…試料水、３…試料水流路、４…減圧弁、５…試料水用電磁弁、６…定流量弁、７…残留塩素測定セル、８…試料水導入部、９…ビーズ、１０…噴出部、１１…金電極、１２…銀−塩化銀電極、１３…試料水排出部、１４…信号処理制御部、１５…出力、１６…残留塩素計全体、１７…洗浄用空気（通常の大気）、１８…小形空気ポンプ、１９…空気用流路、２０…空気用電磁弁、２１…合流流路、２２…流量制御特性、２３…洗浄を行った場合と行わなかった場合の出力の比較、２４…洗浄時タイミングチャート。
【図１】
2009258061.tif 000003
【図２】
2009258061.tif 000004
【図３】
2009258061.tif 000005
【図４】
2009258061.tif 000006